【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
クレジットカードの利用に基づく請求予定金額を当該クレジットカードのユーザに提供する売上管理システムであって、
ユーザ端末からの送信要求に応じて当該ユーザ端末に送信されるべき売上明細ページに、特定の売上明細に関連付けて要素を配置する要素配置手段と、
前記要素に対する所定の操作を経て前記ユーザ端末から当該要素に関連付けられた前記特定の売上明細に対応する所定のデータが取得された場合に、当該売上明細に関して前記ユーザが今後支払うべき金額を減額修正する金額修正手段と、
を含むことを特徴とする売上管理システム。
【請求項２】
前記要素配置手段が、入力欄を配置する入力ページをリンク先とするリンク要素を前記要素として配置し、
前記金額修正手段が、前記リンク要素のリンク先である前記入力ページの入力欄に入力された前記所定のデータが前記ユーザ端末から取得された場合に、前記特定の売上明細に関して前記ユーザが今後支払うべき金額を減額修正する、
ことを特徴とする請求項１に記載の売上管理システム。
【請求項３】
前記所定のデータが、所定のウェブページに記載されているデータであり、
前記要素配置手段が、前記ユーザによる前記ウェブページの閲覧履歴が確認された場合に限り、前記リンク要素を配置する、
ことを特徴とする請求項２に記載の売上管理システム。
【請求項４】
前記要素配置手段が、前記ユーザによる前記ウェブページの閲覧時期が前記特定の売上明細に係る売上発生時期より後である場合に限り、前記リンク要素を配置する、
ことを特徴とする請求項３に記載の売上管理システム。
【請求項５】
前記所定のデータには適用可能期間が設定されており、
前記要素配置手段が、前記送信要求の受付時点で適用可能期間内にある前記所定のデータに対応する前記特定の売上明細に関連付けて前記リンク要素を配置する、
ことを特徴とする請求項３又は４に記載の売上管理システム。
【請求項６】
前記所定のデータが、ユーザがクレジットカードを利用した実在店舗においてのみ入手可能な情報に対応するデータである、
ことを特徴とする請求項１又は２に記載の売上管理システム。
【請求項７】
前記所定のデータが、ユーザがクレジットカードを利用した後に、当該ユーザが利用するユーザ端末に通知されるデータである、
ことを特徴とする請求項１又は２に記載の売上管理システム。
【請求項８】
前記所定のデータが値引率、又は、値引額に関連付けられており、
前記金額修正手段は、前記ユーザ端末から取得された前記所定のデータに関連付けられている値引率、又は、値引額に応じて、前記特定の売上明細に関して前記ユーザが今後支払うべき金額を減額修正する、
ことを特徴とする請求項１から７のいずれか一項に記載の売上管理システム。
【請求項９】
クレジットカードの利用に基づく請求予定金額を当該クレジットカードのユーザに提供する売上管理システムによる売上管理方法であって、
ユーザ端末からの送信要求に応じて当該ユーザ端末に送信されるべき売上明細ページに、特定の売上明細に関連付けて要素を配置する要素配置ステップと、
前記要素に対する所定の操作を経て前記ユーザ端末から当該要素に関連付けられた前記特定の売上明細に対応する所定のデータが取得された場合に、当該売上明細に関して前記ユーザが今後支払うべき金額を減額修正する金額修正ステップと、
を含むことを特徴とする売上管理方法。
【請求項１０】
クレジットカードの利用に基づく請求予定金額を当該クレジットカードのユーザに提供する売上管理システムを構成するコンピュータを、
ユーザ端末からの送信要求に応じて当該ユーザ端末に送信されるべき売上明細ページに、特定の売上明細に関連付けて要素を配置する要素配置手段、
前記要素に対する所定の操作を経て前記ユーザ端末から当該要素に関連付けられた前記特定の売上明細に対応する所定のデータが取得された場合に、当該売上明細に関して前記ユーザが今後支払うべき金額を減額修正する金額修正手段、
として機能させることを特徴とするプログラム。
【手続補正２】
【補正対象書類名】明細書
【補正対象項目名】０００８
【補正方法】変更
【補正の内容】
【０００８】
上記課題を解決するために、本発明に係る売上管理システムは、クレジットカードの利用に基づく請求予定金額を当該クレジットカードのユーザに提供する売上管理システムであって、ユーザ端末からの送信要求に応じて当該ユーザ端末に送信されるべき売上明細ページに、特定の売上明細に関連付けて要素を配置する要素配置手段と、前記要素に対する所定の操作を経て前記ユーザ端末から当該要素に関連付けられた前記特定の売上明細に対応する所定のデータが取得された場合に、当該売上明細に関して前記ユーザが今後支払うべき金額を減額修正する金額修正手段と、を含むことを特徴とする。
【手続補正３】
【補正対象書類名】明細書
【補正対象項目名】０００９
【補正方法】変更
【補正の内容】
【０００９】
また、本発明に係る売上管理方法は、クレジットカードの利用に基づく請求予定金額を当該クレジットカードのユーザに提供する売上管理システムによる売上管理方法であって、ユーザ端末からの送信要求に応じて当該ユーザ端末に送信されるべき売上明細ページに、特定の売上明細に関連付けて要素を配置する要素配置ステップと、前記要素に対する所定の操作を経て前記ユーザ端末から当該要素に関連付けられた前記特定の売上明細に対応する所定のデータが取得された場合に、当該売上明細に関して前記ユーザが今後支払うべき金額を減額修正する金額修正ステップと、を含むことを特徴とする。
【手続補正４】
【補正対象書類名】明細書
【補正対象項目名】００１０
【補正方法】変更
【補正の内容】
【００１０】
また、本発明に係るプログラムは、クレジットカードの利用に基づく請求予定金額を当該クレジットカードのユーザに提供する売上管理システムを構成するコンピュータを、ユーザ端末からの送信要求に応じて当該ユーザ端末に送信されるべき売上明細ページに、特定の売上明細に関連付けて要素を配置する要素配置手段、前記要素に対する所定の操作を経て前記ユーザ端末から当該要素に関連付けられた前記特定の売上明細に対応する所定のデータが取得された場合に、当該売上明細に関して前記ユーザが今後支払うべき金額を減額修正する金額修正手段、として機能させることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の一態様では、前記要素配置手段が、入力欄を配置する入力ページをリンク先とするリンク要素を前記要素として配置し、前記金額修正手段が、前記リンク要素のリンク先である前記入力ページの入力欄に入力された前記所定のデータが前記ユーザ端末から取得された場合に、前記特定の売上明細に関して前記ユーザが今後支払うべき金額を減額修正する、ことを特徴とする。
【手続補正７】
【補正対象書類名】明細書
【補正対象項目名】００１３
【補正方法】変更
【補正の内容】
【００１３】
この態様では、前記所定のデータが、所定のウェブページに記載されているデータであり、前記要素配置手段が、前記ユーザによる前記ウェブページの閲覧履歴が確認された場合に限り、前記リンク要素を配置してもよい。さらには、前記要素配置手段が、前記ユーザによる前記ウェブページの閲覧時期が前記特定の売上明細に係る売上発生時期より後である場合に限り、前記リンク要素を配置してもよい。また、前記所定のデータには適用可能期間が設定されており、前記要素配置手段が、前記送信要求の受付時点で適用可能期間内にある前記所定のデータに対応する前記特定の売上明細に関連付けて前記リンク要素を配置してもよい。
【手続補正８】
【補正対象書類名】明細書
【補正対象項目名】００１６
【補正方法】変更
【補正の内容】
【００１６】
また、本発明の一態様では、前記所定のデータが値引率、又は、値引額に関連付けられており、前記金額修正手段は、前記ユーザ端末から取得された前記所定のデータに関連付けられている値引率、又は、値引額に応じて、前記特定の売上明細に関して前記ユーザが今後支払うべき金額を減額修正することを特徴とする。